(57)【特許請求の範囲】
【請求項１】
上下方向に並設した複数の導電バーと、これらの導電バーを支持するバー取付部材と、一方側に導電バーの両端長手方向に対して短手の幅方向から差込接続する受け刃を配設するとともに他方側に引掛部を形成して導電バーの幅方向の少なくとも一方側に並設される複数の回路遮断器と、これらの回路遮断器の引掛部を引掛ける被引掛部を有して回路遮断器を取着するべースと、を備えた分電盤において、前記バー取付部材又は最上段の導電バーに回路遮断器の一方側上面に臨む係止部を有した係止部材を取着するとともに前記回路遮断器の一方側上面に受け刃に導電バーを差し込んだ状態で係止部に係止されて受け刃が導電バーから外れる方向の移動を防止する被係止部を設け、前記引掛部及び被引掛部は、導電バーを受け刃に差し込む直線方向に回路遮断器を移動させたときに係合して回路遮断器が上側にずれる方向の移動を防止する位置に形成されたことを特徴とする分電盤。
【請求項２】
前記引掛部及び被引掛部は、回路遮断器を導電バー方向に移動させて前記被係止部が係止部に係止される以前に係合し合う位置に形成されたことを特徴とする請求項１記載の分電盤。
【請求項３】
前記被引掛部を回路遮断器の側面の下部に側方と下端とが開口した凹所内で前記係合時の回路遮断器の移動方向とは反対方向に凹ませた横凹部により形成し、前記引掛部を前記ベース上に突設された逆Ｌ状の突起の水平片で形成し、該水平片の向きを前記係合時の回路遮断器の移動方向とは反対方向としていることを特徴とする請求項１又は請求項２記載の分電盤。
【請求項４】
前記引掛部及び被引掛部に、受け刃を導電バーに完全に接続したときに嵌合する凹凸嵌合部を設けたことを特徴とする請求項１乃至請求項３の何れか記載の分電盤。
【請求項５】
前記べースの各回路遮断器における一方側に、各回路遮断器の側面を挟む位置決め突起を設けたことを特徴とする請求項１乃至請求項４の何れか記載の分電盤。
【請求項６】
前記係止部材に各回路遮断器側に各々突出する弾性突出片を設け、該弾性突出片に前記係止部を形成したことを特徴とする請求項１乃至請求項５の何れか記載の分電盤。
【請求項７】
前記係止部材に、弾性突出片の基端を連設させた回動支点部に基端が連設されて弾性突出片とは反対側に延出する操作片を設けたことを特徴とする請求項６記載の分電盤。
【請求項８】
前記係止部材に、操作片に連設され、係止部材の係止部に回路遮断器の被係止部が係止された状態で、回路遮断器の一方側端面に当接する押出し片を設けたことを特徴とする請求項７記載の分電盤。
【請求項９】
前記操作片に、押圧する治具の先端の位置決め部を形成したことを特徴とする請求項７又は請求項８記載の分電盤。
【請求項１０】
前記被係止部は、係止部に当接する最先端側から徐々に上方へ突出する傾斜状に形成されたことを特徴とする請求項１乃至請求項９の何れか記載の分電盤。
【請求項１１】
前記係止部材は、回路遮断器の並設方向において隣接する他の係止部材と互いに連結する連結部を両側部に形成していることを特徴とする請求項１乃至請求項１０記載の何れか記載の分電盤。
【発明の詳細な説明】
【０００１】
【発明の属する技術分野】
本発明は、回路遮断器を差込接続する分電盤に関する。
【０００２】
【従来の技術】
この種の分電盤としては、特開平１１−６９５３０号公報に見られるものがある。この従来例の分電盤では回路遮断器を斜め方向から導電バーに差込んでいるので差込力を低減することができるという特徴がある。
【０００３】
【発明が解決しようとする課題】
上記の従来例の分電盤は回路遮断器を差し込む際の差込力低減という点では利点があるものの、回路遮断器を斜め方向からも導電バーに差込んでいるため、受け刃が変形する恐れがあった。この場合、導電バーとの差込接続力が弱くなり、発熱を引き起こす恐れがある。
【０００４】
本発明は、かかる事由に鑑みて成されたものであり、その目的とするところは、回路遮断器の受け刃が変形しにくく、もって導電バーを差込接続したときの発熱を抑えることができる分電盤を提供することにある。
【０００５】
【課題を解決するための手段】
上記目的を達成するために、請求項１の発明では、上下方向に並設した複数の導電バーと、これらの導電バーを支持するバー取付部材と、一方側に導電バーの両端長手方向に対して短手の幅方向から差込接続する受け刃を配設するとともに他方側に引掛部を形成して導電バーの幅方向の少なくとも一方側に並設される複数の回路遮断器と、これらの回路遮断器の引掛部を引掛ける被引掛部を有して回路遮断器を取着するべースと、を備えた分電盤において、 前記バー取付部材又は最上段の導電バーに回路遮断器の一方側上面に臨む係止部を有した係止部材を取着するとともに前記回路遮断器の一方側上面に受け刃に導電バーを差し込んだ状態で係止部に係止されて受け刃が導電バーから外れる方向の移動を防止する被係止部を設け、前記引掛部及び被引掛部は、導電バーを受け刃に差し込む直線方向に回路遮断器を移動させたときに係合して回路遮断器が上側にずれる方向の移動を防止する位置に形成されたことを特徴とする。
【０００６】
請求項２の発明では、請求項１の発明において、、前記引掛部及び被引掛部は、回路遮断器を導電バー方向に移動させて前記被係止部が係止部に係止される以前に係合し合う位置に形成されていることを特徴とする。
【０００７】
請求項３の発明では、請求項１又は２の発明において、前記被引掛部を回路遮断器の側面の下部に側方と下端とが開口した凹所内で前記係合時の回路遮断器の移動方向とは反対方向に凹ませた横凹部により形成し、前記引掛部を前記ベース上に突設された逆Ｌ状の突起の水平片で形成し、該水平片の向きを前記係合時の回路遮断器の移動方向とは反対方向としていることを特徴とする。
【０００８】
請求項４の発明では、請求項１乃至請求項３の何れかの発明において、前記引掛部及び被引掛部に、受け刃を導電バーに完全に接続したときに嵌合する凹凸嵌合部を設けたことを特徴とする。
【０００９】
請求項５の発明では、請求項１乃至請求項４の何れかの発明において、前記べースの各回路遮断器における一方側に、各回路遮断器の側面を挟む位置決め突起を設けたことを特徴とする。
【００１０】
請求項６の発明では、請求項１乃至請求項５の何れかの発明において、前記係止部材に各回路遮断器側に各々突出する弾性突出片を設け、該弾性突出片に前記係止部を形成したことを特徴とする。
【００１１】
請求項７の発明では、請求項６の発明において、前記係止部材に、弾性突出片の基端を連設させた回動支点部に基端が連設されて弾性突出片とは反対側に延出する操作片を設けたことを特徴とする。
【００１２】
請求項８の発明では、請求項７の発明において、前記係止部材に、操作片に連設され、係止部材の係止部に回路遮断器の被係止部が係止された状態で、回路遮断器の一方側端面に当接する押出し片を設けたことを特徴とする。
【００１３】
請求項９の発明では、請求項７又は請求項８の発明において、前記操作片に、押圧する治具の先端の位置決め部を形成したことを特徴とする。
【００１４】
請求項１０の発明では、請求項１乃至請求項９の何れかの発明において、前記被係止部は、係止部に当接する最先端側から徐々に上方へ突出する傾斜状に形成されたことを特徴とする。
【００１５】
請求項１１の発明では、請求項１乃至請求項１０の何れかの発明において、前記係止部材は、回路遮断器の並設方向において隣接する他の係止部材と互いに連結する連結部を両側部に形成していることを特徴とする。
【００１６】
【発明の実施の形態】
以下本発明を実施形態により説明する。
（実施形態１）
図２、図３は本実施形態の分電盤１の例を示し、図１に分電盤１に配設される固定ベース７上に回路遮断器２を配設した状態の要部を示す。
【００１７】
本例の分電盤１は、箱状のボディ１０とこのボディ１０の開口部に開閉自在に取り付けられるカバー１１とで構成され、図３に示すようにボディ１０の底部には主幹回路遮断器３及び複数の分岐回路遮断器である回路遮断器２を配設し、これら回路遮断器３、２の操作ハンドルＨはカバー１１の窓孔より外部に露出される。
【００１８】
回路遮断器２は図３において、ボディ１０内の片側において、上下２列に配設され、各列には６台が並設される。これらの上下２列間には上記の３つの導電バー３１〜３３が回路遮断器２の並設方向に延長するように配置される。
【００１９】
図４は回路遮断器２，３をボディ１０の底部に取り付けるための取付部を示しており、この取付部は、両側縁が図４、図５において上方向に折り曲げられた２枚の鉄板からなり、ボディ１０の底部に図３において上下に間隔をあけて横方方に並行配設される基台４，４と、これら基台４，４間に橋絡するように配設される鉄板製の取付ベース５と、基台４，４間の間隙に対応するように凹ませた取付ベース５の中央凹部５Ｂ内に配設される樹脂製の導電バー用取付ベース６と、この取付ベース６の上と基台４上に被るように夫々配置された取付ベース５の側片５Ａとに渡るように配設される回路遮断器固定用の樹脂製の固定ベース７と、基台４，４の一端部に側端部が固定されて側方に配置される鉄板製の主幹回路遮断器用固定ベース８とから成る。
【００２０】
更に詳細に説明すると、基台４は図３に示すように一端に設けた長孔９を挿通した固定ねじ１２によりボディ１０の底部に固定される。
【００２１】
取付ベース５は図５に示すように中央部をボディ１０方向に凹ませ、この中央凹部５Ｂの両側より側方に延長した各側片５Ａを基台４の両側の折り曲げ片４Ａの端面上に載せ、各側片５Ａに設けた挿通孔１４を介して固定ねじ１５を基台４側のねじ孔１６に締結することで両側の基台４，４間に橋絡するように固定され、中央凹部５Ｂは基台４，４間に嵌まることになる。
【００２２】
取付ベース６は上記中央凹部５Ｂ内に配置されるもので、底部には中央凹部５Ｂに穿設した丸孔１７群に嵌まる円筒部１８群を突出させてあって、円筒部１８を丸孔１７に嵌めることで位置決めされる。そして中央凹部５Ｂの両端開口より突出する部位の上側の中央には夫々中性極Ｎの導電バー３１を支持するための支持ポスト１３を一体突設してある。
【００２３】
導電バー３１は両端部に形成した取付片３１ａに穿設した挿通孔３１ｂを介して固定ねじ３７を支持ポスト１３の上端部の凹部３４に収納固定されるナット３８に締結することで両端の支持ポスト１３，１３間に橋絡配置される。
【００２４】
また両端の支持ポスト１３，１３間を結ぶ中央部の両側の平面部がＬ１，Ｌ２の電圧極の導電バー３２．３３を配置する配置部位となり、これらの配置部位の側方の上面には固定ベース７を支持するピン１９を所定間隔で両端方向に一体立設してある。
【００２５】
また両端の支持ポスト１３，１３間には導電バー３２，３３から一体に延長形成された脚片２０，２１からなる後述する回路遮断器接続部の内高い位置にある脚片２１の支持用リブ２２と、脚片２０，２１の基部２８を沿わせるリブ２３とを突設してある。
【００２６】
導電バー３２，３３は固定ベース７，７が配設される前に、取付ベース６上の夫々の配置部位に配置固定される。
【００２７】
導電バー３２，３３は同一形状に形成されており、対称配置されるようになっているもので、両端には固定ねじ２４を挿通する挿通孔２５が設けられ、固定ねじ２４を挿通孔２５を介して、取付ベース６の凹部２６内に配置されるナット２７に締結することで固持されるようになっている。
【００２８】
導電バー３２，３３は配置されたときに内側となる側縁より回路遮断器２の配列個数に対応するように一定間隔で基部２８を折り曲げにより立ち上がらせ、この基部２８の上端の片側からはさらに外側方向に向けて脚片２０を水平延長形成し、またこの脚片２０に隣接する当該基部２８の上端には水平片が内側方向に向くように逆Ｌ状に折り曲げた延長片を形成してある。そして上記脚片２０とこの延長片の水平片たる脚片２１が夫々回路遮断器２の一端側に設けた後述する電圧極用端子接続部に差し込み接続される回路遮断器接続部を構成する。
【００２９】
固定ベース７は導電バー３２，３３を取付ベース６に配設した後に取付ベース６と取付ベース５の側片５Ａ上に渡るよう配設される。この際固定ベース７の裏面より４カ所突出係止している係止爪２９を側片５Ａに形成している係止孔３０に挿入係止して固定ベース７は固定される。
【００３０】
この固定ベース７の上面には図１１に示すように回路遮断器２の器体の両側面を挟み込むようにして位置決めをする位置決め突起３５と、上記端子接続部を設けた一端部とは反対側の器体の他端部の両側面の下部に側方と下端とが開口した逆Ｌ状の凹所３６に該凹所３６の下面開口より挿入され、回路遮断器２の移動により水平片により構成される引掛部３９を凹所３６の横凹部により形成される被引掛部５３に挿入して引掛部３９の下面に形成した凹み嵌合部３９ａに被引掛部５３の底部に形成した凸嵌合部５３ａを嵌合して引掛係止する逆Ｌ状の突起５４とを配列する回路遮断器２数に対応して一体に突設してある。
【００３１】
固定ベース８は基台４，４の一端部に一側部より突出させた固定片４０を固定ねじ６１で基台４，４の端部に固定し、他側部より突出させた固定片４０’を固定ねじ６１’でボディ１０底部に固定することでボディ１０内に配設され、その上面には主幹回路遮断器３を螺子固定する。
【００３２】
主幹回路遮断器３の負荷側端子はＬ１、Ｌ２の電圧極及び中性極Ｎの導電バー４４、４５及び４６を介して各導電バー３２，３３及び３１に接続される。この接続は主幹回路遮断器３側の各導電バー３２，３３、３１の端部に各導電バー４４、４５，４６の端部を重ねて固定ねじ２４，２４，３７により固定されることで行われる。
【００３３】
また支持ポスト１３，１３間に橋絡配設された導電バー３１の上面には、両側に配置される回路遮断器２の上面に臨む弾性突出片４７を有した係止部材４８（図６，図７参照）を取着してある。
【００３４】
この係止部材４８は合成樹脂成形品からなり、両側の夫々３台の回路遮断器２に対応するもので、導電バー３１には２組配置されるようになっており、各係止部材４８は図６に示すように下面両側に導電バー３１の上面に載置する支持台４９を一体に係止するとともに、支持台４９間には導電バー３１に穿設してある丸孔５６に圧入される円柱状突起５０を下面に２つ所定間隔で一体突設し、各支持台４９と隣接する突起５０間，そして両突起５０，５０間には夫々揺動自在に一端が連結片により支持された弾性突出片４７を両側に３つずつ一体形成しある。そして、導電バー３１に取り付けられた時に、夫々の弾性突出片４７の先端部が正規位置に配置される回路遮断器２の内側位置の上面に臨むように突出するようになっており、夫々の先端部両側には回路遮断器２の内側位置の上面に並設した２つの突起状の被係止部５７に係止する係止部５８を側方に突出形成してある。
【００３５】
回路遮断器２は以上のように構成される取付部がボディ１０の底部上に配設された状態において固定ベース７上に固定配設されるのである。
【００３６】
ここで本実施形態に用いられる回路遮断器２は内部に２極の開閉機構部を内蔵するもので、図８に示すように器体の一端部側に上、中、下の三段に導電バーの回路遮断器接続部が挿入される導電バー差し込み口４１，４２，４３を開口しており、上段の導電バー差し込み口４１の高さ位置は固定ベース７に配設したときに丁度最上段の導電バー３１の高さ位置に対応し、また中段の導電バー差し込み口４２は導電バー３２或いは３３の脚片２１の高さ位置に対応し、更に下段の導電バー差し込み口４３は、導電バー３２或いは３３の脚片２０の高さ位置に対応している。
【００３７】
そして本例では上段の導電バー差し込み口４１内には図１に示すように中性極Ｎの導電バー３３側縁からなる回路遮断器接続部を差し込み接続する端子接続部たる受け刃５１を配置し、中段及び下段の何れかの導電バー差し込み口４２、４３の一方にＬ１或いはＬ２の電圧極の導電バー３２，３３の回路遮断器接続部２１或いは２０を差し込む受け刃５２を配設し、他方を受け刃が配設されていない収納部としている。
【００３８】
電圧極に対応する受け刃５２は導電バー差し込み口４２或いは４３の何れかの位置へ器体側面に図１に示すように露出したスライドレバー６０を上又は下へ移動させることで移動させることできるようになっており、上下二列に配列される回路遮断器２群において、負荷バランスをとるように接続するＬ１及びＬ２の電圧極を容易に選択できるようになっている。
【００３９】
而して回路遮断器２を固定ベース７に配設固定するに当たっては、回路遮断器２を配設したい位置の固定ベース７上の一対の突起３５，３５間に導電バー差し込み口側の一端部の器体下部を嵌めるとともに、他端部側の器体両側側面の凹所３６の下部開口より突起５４を凹所３６内に嵌めて固定ベース７上に図９に示すように載置する。この時係止部材４８の対応する弾性突出片４７の先端部が回路遮断器２の上面に臨む。
【００４０】
この状態で回路遮断器２を導電バー配置位置方向に図１０に示すように直線移動させると、導電バー差し込み口４１に中性極Ｎの導電バー３１の側縁たる回路遮断器接続部が挿入されて受け刃５１の開口に臨み、また中段の導電バー差し込み口４２にはＬ１或いはＬ２の電圧極の導電バー３１或いは３２の脚片２１が挿入され、さらに下段の導電バー差し込み口４３にはＬ２或いはＬ１の電圧極の導電バー３２或いは３１の脚片２０が挿入されることになり、図において導電バー差し込み口４３内に配置されている受け刃５２に脚片２０が臨むことになる。
【００４１】
一方回路遮断器２の直線移動に伴って係止部材４８の対応する弾性突出片４７の係止部５８下面の傾斜面５８ａが回路遮断器２の上面に形成した被係止部５７の傾斜面５７ａに図示するように当接する。
【００４２】
この状態からさらに回路遮断器２を移動させると弾性突出片４７の弾性変形を伴いながら係止部５８の傾斜面５８ａが被係止部５７の傾斜面５７ａ上をスライドしながら乗り上げて、やがて被係止部５７を乗り越えることになり、弾性突出片４７が弾性で元に戻る。従って回路遮断器２の被係止部５７が係止部５８に係止されることになる。これにより回路遮断器２が外側方向（受け刃から導電バーが引き抜かれる方向）へ移動するのを規制する。一方凹所３６に下方から嵌まった突起５４に設けられた引掛部３９は回路遮断器２の移動に伴って被引掛部５３内に挿入され、やがて引掛部３９の下面に設けた嵌合凹部３９ａが被引掛部５３の下面に設けた嵌合凸部５３ａに図１に示すように凹凸嵌合することになる。
この凹凸嵌合時に所謂クリック感が作業者に与えられ、回路遮断器２が定位置、つまり受け刃５１，５２に導電バー３１、３２或いは３３の回路遮断器接続部が完全に差し込まれた位置に移動したことを作業者に分からしめ、結果受け刃５１，５２に対する回路遮断器接続部の差し込み量のばらつきを抑えることができるのである。そして被引掛部５３と引掛部３９との凹凸嵌合により、回路遮断器２の上方向、つまり固定ベース７の面に対して垂直方向への移動を規制する。また引掛部３９及び突起５４は凹所３６及び被引掛部５３内に納まるため、隣接配置する回路遮断器２との間の隙間を少なくすることができる。
【００４３】
このようにして簡単に回路遮断器２を分電盤内の固定ベース上に取り付け且つ電気的に接続することができることになる。
【００４４】
図１或いは図１１に示すように固定ベース７上に配設した回路遮断器２を取り外す場合には、上記の係止部材４８の弾性突出片４７の基端に連設された操作片６２を図１２に示すようにドライバ６３で下方に押し、弾性突出片４７の基端が連結された連結片を回動支点部とし、弾性突出片４７を該回動支点部を中心として回動させてその先端部を上方へ移動させ、先端部の係止部５８を回路遮断器２の被係止部５７から離脱させる。これにより回路遮断器２を引外し方向へ移動させることが可能となり、この状態で回路遮断器２を引外し方向へ直線移動させれば、被引掛部５３と引掛部３９の凹凸嵌合が外れ、凹所３６の下面開口位置上方へ引掛部３９が移動するまで回路遮断器２を移動させ、その後上方へ持ち上がれば回路遮断器２を取り外すことができることになる。
【００４５】
尚本実施形態では、導電バー３１に係止部材４８を取り付けているが、バー取付部材である支持ポスト１３などに取り付けるようにしても良い。
（実施形態２）
本実施形態の特徴となる部位を図１３〜図１７に示す。
【００４６】
本実施形態の基本的な構成は上記実施形態１と同じであるので、実施形態１の構成要素と同じ構成要素には同じ符号を付し、また特徴部分以外の構成は実施形態１の図面を参照してここでは説明を省略する。
【００４７】
次に本実施形態の特徴となる構成について詳説する。
【００４８】
まず本実施形態の係止部材４８には、操作片６２の裏面に連設され、係止部材４８の係止部５８に回路遮断器２の被係止部５７が係止された状態で、回路遮断器２の一方側端面に当接する押出し片６４を設けてある。また前記操作片６２の表面先端部には、押圧するドライバーなど治具の先端を入れることで該治具の位置決めを行う穴状の位置決め部６５を形成しており、治具で操作片６２を押圧する際に、治具先端を位置決め部６５に嵌めた状態とすることで、治具の先端が外れ難くなり回路遮断器２の取り外しが容易となる。
【００４９】
また係止部材４８は隣接する他の係止部材４８と連結する連結部として、回路遮断器２の並設方向に対応する両端に設けた支持台４９，４９の一方の端面にあり継ぎ用のあり溝６６を、他方の端面にあり溝６６に対応するあり６７を形成しており、隣接する係止部材４８、４８同士の連結を、一方の係止部材４８のあり溝６６に他方の係止部材４８のあり６７を嵌合することで行い、この連結により係止部材４８を強固に取着する。
【００５０】
而して本実施形態では、実施形態１と同様な方法で図１６に示すように固定ベース７上に取り付けた状態の回路遮断器２を取り外す場合、ドライバのような治具先端を位置決め部６５に嵌めた状態で、操作片６２の先端部を下向きに実施形態１の場合と同様に押圧する。この押圧により弾性突出片４７の基端が連結された連結片を回動支点部とし、該回動支点部を中心として弾性突出片４７を回動させてその先端部を上方へ移動させ、先端部の係止部５８を回路遮断器２の被係止部５７から図１７に示すように離脱させる。この操作時に押出し片６４の先端部が図示するように回路遮断器２の側端面に当接して回路遮断器２を取り外す方向力、つまり抜ける力を蓄積し、そのまま操作片６２を押圧して係止部５８から被係止部５７が外れると蓄積された力で回路遮断器２を取り外し方向、つまり図において右方向に押し動かし、被引掛部５３と引掛部３９の凹凸嵌合を外させる。この状態で凹所３６の下面開口位置上方へ引掛部３９が移動するまで回路遮断器２を移動させ、その後上方へ持ち上がれば回路遮断器２を取り外すことができることになる。
【００５１】
【発明の効果】
請求項１の発明は、上下方向に並設した複数の導電バーと、これらの導電バーを支持するバー取付部材と、一方側に導電バーの両端長手方向に対して短手の幅方向から差込接続する受け刃を配設するとともに他方側に引掛部を形成して導電バーの幅方向の少なくとも一方側に並設される複数の回路遮断器と、これらの回路遮断器の引掛部を引掛ける被引掛部を有して回路遮断器を取着するべースと、を備えた分電盤において、 前記バー取付部材又は最上段の導電バーに回路遮断器の一方側上面に臨む係止部を有した係止部材を取着するとともに前記回路遮断器の一方側上面に受け刃に導電バーを差し込んだ状態で係止部に係止されて受け刃が導電バーから外れる方向の移動を防止する被係止部を設け、前記引掛部及び被引掛部は、導電バーを受け刃に差し込む直線方向に回路遮断器を移動させたときに係合して回路遮断器が上側にずれる方向の移動を防止する位置に形成されているので、回路遮断器を導電バーに対して直線的に移動させることのみによって受け刃を導電バーに接続でき、受け刃と導電バーとの位置すれによる受け刃の変形が防止し易くなる。また、回路遮断器のべースヘの取り付けは、回路遮断器を直線的に移動させることによって行えるので、回路遮断器をベースに取着する作業が容易になるという効果がある。
【００５２】
請求項２の発明は、請求項１の発明において、前記引掛部及び被引掛部は、回路遮断器を導電バー方向に移動させて前記被係止部が係止部に係止される以前に係合し合う位置に形成されているので、回路遮断器の受け刃を絶対斜め方向から導電バーに接続できなくなり、完全に受け刃の変形を防止できる。
【００５３】
請求項３の発明は、請求項１又は２の発明において、前記被引掛部を回路遮断器の側面の下部に側方と下端とが開口した凹所内で前記係合時の回路遮断器の移動方向とは反対方向に凹ませた横凹部により形成し、前記引掛部を前記ベース上に突設された逆Ｌ状の突起の水平片で形成し、該水平片の向きを前記係合時の回路遮断器の移動方向とは反対方向としているので、各回路遮断器の幅方向の位置合せが容易にでき、もって各回路遮断器の受け刃に導電バーを精度良く接続でき、また隣合う回路遮断器同士の隙間を少なくすることができる。
【００５４】
請求項４の発明は、請求項１乃至請求項３の何れかの発明において、前記引掛部及び被引掛部に、受け刃を導電バーに完全に接続したときに嵌合する凹凸嵌合部を設けたので、凹凸嵌合部が互いに嵌合すれば、受け刃が導電バーに完全に接続された状態と容易に分かり、受け刃の差込量のばらつきを抑えることができる。
【００５５】
請求項５の発明は、請求項１乃至請求項４の何れかの発明において、前記べースの各回路遮断器における一方側に、各回路遮断器の側面を挟む位置決め突起を設けたので、各回路遮断器の一方側の側面を位置決め突起に合わせて回路遮断器を導電バー方向に移動させれば、更に各回路遮断器の受け刃に導電バーを精度良く接続できる。
【００５６】
請求項６の発明は、請求項１乃至請求項５の何れかの発明において、前記係止部材に各回路遮断器側に各々突出する弾性突出片を設け、該弾性突出片に前記係止部を形成したので、各回路遮断器を導電バー方向に移動させると、各回路遮断器の被保止部が係止部に当接し、これによって弾性突出片が上方向に変形し、被保止部が係止部を超えたときに弾性突出片が元の位置に戻って被保止部が係止部に係止されることとなり、そのため、回路遮断器を係止部材に係止させる作業が容易になる。また、この弾性突出片は各回路遮断器毎に形成されているので、弾性を取り易くすることができ、各回路遮断器を取着する作業が容易になる。
【００５７】
請求項７の発明は、請求項６の発明において、前記係止部材に、弾性突出片の基端を連設させた回動支点部に基端が連設されて弾性突出片とは反対側に延出する操作片を設けたので、操作片を抑圧すれば回動支点部を中心に弾性突出片が上方向に変形し、係止部と被保止部との係止状態を解除することができ、回路遮断器を係止部材から外す作業が容易となる。
【００５８】
請求項８の発明は、請求項７の発明において、前記係止部材に、操作片に連設され、係止部材の係止部に回路遮断器の被係止部が係止された状態で、回路遮断器の一方側端面に当接する押出し片を設けたので、操作片を押圧していくと、押出し片が回路遮断器の一方側端面に当接して回路遮断器を取り外す方向の力を蓄積し、そのまま操作片を押圧して係止部から被係止部が外れると蓄積された力で回路遮断器を簡単に取り外しことができ、そのため回路遮断器の取り外し作業が容易となる。
【００５９】
請求項９の発明は、請求項７又は請求項８の発明において、前記操作片に、押圧する治具の先端の位置決め部を形成したので、操作片を治具で押圧操作するときに治具の先端が外れにくくなり、回路遮断器の取り外し作業が容易となる。
【００６０】
請求項１０の発明は、請求項１乃至請求項９の何れかの発明において、前記被係止部が、係止部に当接する最先端側から徐々に上方へ突出する傾斜状に形成されているので、係止部に被保止部を係止し易くなり、もって回路遮断器を取り付ける作業が容易になる。
【００６１】
請求項１１の発明は、請求項１乃至請求項１０の何れかの発明において、前記係止部材が、回路遮断器の並設方向において隣接する他の係止部材と互いに連結する連結部を両側部に形成しているので、並設された隣り合う係止部材を連結することができ、係止部材を強固に取着することができる。
【図面の簡単な説明】
【図１】本発明の一実施形態の回路遮断器の配設状態を示す要部の一部省略且つ破断せる側面図である。
【図２】同上の正面図である。
【図３】同上のカバーを外した状態の正面図である。
【図４】同上の取付部の分解斜視図である。
【図５】同上の取付部の要部の分解斜視図である。
【図６】同上の係止部材と導電バーとの関係を示す分解斜視図である。
【図７】同上の係止部材と回路遮断器との関係を示す分解斜視図である。
【図８】同上の導電バー群と回路遮断器の関係を示す分解斜視図である。
【図９】同上の回路遮断器の配設説明用の一部省略且つ破断せる側面図である。
【図１０】同上の回路遮断器の配設説明用の一部省略且つ破断せる側面図である。
【図１１】同上の固定ベースと回路遮断器との配設関係を示す斜視図である。
【図１２】同上の回路遮断器の取り外し説明用の一部省略且つ破断せる側面図である。
【図１３】本発明の実施形態２に用いる係止部材と導電バーとの関係を示す分解斜視図である。
【図１４】同上の係止部材と回路遮断器との関係を示す分解斜視図である。
【図１５】同上の取付部の分解斜視図である。
【図１６】同上の回路遮断器の配設状態を示す要部の一部省略且つ破断せる側面図である。
【図１７】同上の回路遮断器の取り外し説明用の一部省略且つ破断せる側面図である。
【符号の説明】
２    回路遮断器
７    固定ベース
３５  位置決め突起
３６  凹所
３９  引掛部
３９ａ  嵌合凹部
５３    被係止部
５３ａ  嵌合凸部
５４    突起
【図１】
0003785889.tif 000002
【図２】
0003785889.tif 000003
【図３】
0003785889.tif 000004
【図４】
0003785889.tif 000005
【図５】
0003785889.tif 000006
【図６】
0003785889.tif 000007
【図７】
0003785889.tif 000008
【図８】
0003785889.tif 000009
【図９】
0003785889.tif 000010
【図１０】
0003785889.tif 000011
【図１１】
0003785889.tif 000012
【図１２】
0003785889.tif 000013
【図１３】
0003785889.tif 000014
【図１４】
0003785889.tif 000015
【図１５】
0003785889.tif 000016
【図１６】
0003785889.tif 000017
【図１７】
0003785889.tif 000018